【事件の表示】
　特許第３８０９８４７号に関する訂正審判事件について、次のとおり審決する。
【結　論】
　特許第３８０９８４７号に係る特許請求の範囲を本件審判請求書に添付された訂正特許請求の範囲のとおり訂正することを認める。
【理　由】
１．請求の要旨
　本件審判の請求の要旨は、特許第３８０９８４７号発明（平成１７年１２月５日特許出願、平成１８年６月２日設定登録）の特許請求の範囲を審判請求書に添付した訂正特許請求の範囲のとおり、すなわち、下記（１）のとおり訂正することを求めるものである。
（１）特許請求の範囲の請求項６の文末に「請求項１または２記載の睡眠時無呼吸検査装置」とあるのを「請求項４または５記載の睡眠時無呼吸検査装置」と訂正する。
　
　
２．当審の判断
　訂正前の特許請求の範囲の記載は次の通りである。
「【請求項１】
　三次元の加速度センサと、
　前記加速度センサの出力をフィルタリングするローパスフィルタおよびバンドパスフィルタと、
　前記加速度センサの出力を所望とするゲインで増幅するアンプと、
　ｘ軸方向を患者の左右方向とし、ｙ軸方向を患者の身長方向とし、ｚ軸方向を患者の体厚方向とするとき、前記三次元の加速度センサから得られるｘ，ｚの各ＤＣ成分ＤＣｘ，ＤＣｚから患者の寝姿勢を検出し、前記ｘ，ｙ，ｚの各ＡＣ成分ＡＣｘ，ＡＣｙ，ＡＣｚを前記ローパスフィルタでフィルタリングし、さらに前記アンプで増幅した出力から患者の呼吸数を検出し、前記ｚのＡＣ成分ＡＣｚを前記バンドパスフィルタでフィルタリングし、さらに前記アンプで増幅した出力から患者の心拍数を検出する信号処理手段とを含むことを特徴とする睡眠診断装置。
　　【請求項２】
　三次元の加速度センサと、
　前記加速度センサの出力をフィルタリングするローパスフィルタおよびバンドパスフィルタと、
　前記加速度センサの出力を所望とするゲインで増幅するアンプと、
　ｘ軸方向を患者の左右方向とし、ｙ軸方向を患者の身長方向とし、ｚ軸方向を患者の体厚方向とするとき、前記三次元の加速度センサから得られるｘ，ｚの各ＤＣ成分ＤＣｘ，ＤＣｚを用いて、（ＤＣｘ／（ＤＣｘ２＋ＤＣｚ２）１／２，ＤＣｚ／（ＤＣｘ２＋ＤＣｚ２）１／２）から患者の寝姿勢を検出し、前記ｘ，ｙ，ｚの各ＡＣ成分ＡＣｘ，ＡＣｙ，ＡＣｚを前記ローパスフィルタでフィルタリングし、さらに前記アンプで増幅した出力を用いて、（ＡＣｘ２＋ＡＣｙ２＋ＡＣｚ２）１／２のピーク周期の逆数から患者の呼吸数を検出し、前記ｚのＡＣ成分ＡＣｚを前記バンドパスフィルタでフィルタリングし、さらに前記アンプで増幅した出力のピーク周期の逆数から患者の心拍数を検出する信号処理手段とを含むことを特徴とする睡眠診断装置。
　　【請求項３】
　前記信号処理手段は、前記三次元の加速度センサから得られるｘ，ｙ，ｚの各ＤＣ成分ＤＣｘ，ＤＣｙ，ＤＣｚの出力を用いて、（ＤＣｘ２＋ＤＣｙ２＋ＤＣｚ２）１／２の合成値が所定の閾値を超えた回数を歩数として求め、ＤＣｚの成分で重力が検出できているかどうかから、患者が寝ているか起き上がっているかを判定することを特徴とする請求項１または２記載の睡眠診断装置。
　　【請求項４】
　三次元の加速度センサと、
　前記加速度センサの出力をフィルタリングするローパスフィルタおよびバンドパスフィルタと、
　前記加速度センサの出力を所望とするゲインで増幅するアンプと、
　ｘ軸方向を患者の左右方向とし、ｙ軸方向を患者の身長方向とし、ｚ軸方向を患者の体厚方向とするとき、前記三次元の加速度センサから得られるｘ，ｚの各ＤＣ成分ＤＣｘ，ＤＣｚから患者の寝姿勢を検出し、前記ｘ，ｙ，ｚの各ＡＣ成分ＡＣｘ，ＡＣｙ，ＡＣｚを前記ローパスフィルタでフィルタリングし、さらに前記アンプで増幅した出力から患者の呼吸数を検出し、前記ｚのＡＣ成分ＡＣｚを前記バンドパスフィルタでフィルタリングし、さらに前記アンプで増幅した出力から患者の心拍数を検出する信号処理手段とを含むことを特徴とする睡眠時無呼吸検査装置。
　　【請求項５】
　三次元の加速度センサと、
　前記加速度センサの出力をフィルタリングするローパスフィルタおよびバンドパスフィルタと、
　前記加速度センサの出力を所望とするゲインで増幅するアンプと、
　ｘ軸方向を患者の左右方向とし、ｙ軸方向を患者の身長方向とし、ｚ軸方向を患者の体厚方向とするとき、前記三次元の加速度センサから得られるｘ，ｚの各ＤＣ成分ＤＣｘ，ＤＣｚを用いて、（ＤＣｘ／（ＤＣｘ２＋ＤＣｚ２）１／２，ＤＣｚ／（ＤＣｘ２＋ＤＣｚ２）１／２）から患者の寝姿勢を検出し、前記ｘ，ｙ，ｚの各ＡＣ成分ＡＣｘ，ＡＣｙ，ＡＣｚを前記ローパスフィルタでフィルタリングし、さらに前記アンプで増幅した出力を用いて、（ＡＣｘ２＋ＡＣｙ２＋ＡＣｚ２）１／２のピーク周期の逆数から患者の呼吸数を検出し、前記ｚのＡＣ成分ＡＣｚを前記バンドパスフィルタでフィルタリングし、さらに前記アンプで増幅した出力のピーク周期の逆数から患者の心拍数を検出する信号処理手段とを含むことを特徴とする睡眠時無呼吸検査装置。
　　【請求項６】
　前記信号処理手段は、前記三次元の加速度センサから得られるｘ，ｙ，ｚの各ＤＣ成分ＤＣｘ，ＤＣｙ，ＤＣｚの出力を用いて、（ＤＣｘ２＋ＤＣｙ２＋ＤＣｚ２）１／２の合成値が所定の閾値を超えた回数を歩数として求め、ＤＣｚの成分で重力が検出できているかどうかから、患者が寝ているか起き上がっているかを判定することを特徴とする請求項１または２記載の睡眠時無呼吸検査装置。」
　
　そして、請求項６に係る発明が「睡眠時無呼吸検査装置」に関するものであるのに対し、該請求項６が引用する請求項１及び２に係る発明は「睡眠診断装置」に関するものであり、請求項６は、該請求項６とは装置名が異なる請求項１及び２を引用しているから、これが何らかの誤記を含むことは明らかである。これに対し、上記（１）の訂正により訂正された請求項６の引用請求項は請求項４及び５であり、該請求項４及び５に係る発明は「睡眠時無呼吸検査装置」に関するものであるから、これらは訂正後の請求項６とその装置名を共通とするものであり、上記訂正により、請求項６と引用請求項との間での装置名についての矛盾は解消するものである。
　また、請求項６で限定しようとする技術事項に関しては、請求項３に、請求項１及び２を引用して既に記載されているから、さらに請求項６で請求項１及び２を引用して記載する必要がないことも明らかである。
　
　よって、上記（１）の訂正は、請求項６について、引用請求項名の誤りを訂正しようとするものであるから、誤記の訂正を目的とするものである。
　そして、寝姿勢の検出（【0028】）、呼吸数の検出（【0030】【0034】）、心拍数の検出（【0041】）、患者が寝ているか起きているかの検出（【0046】）に関し、訂正後の請求項４乃至６に記載された如き各検出式・手段については、何れも当初明細書に於いて、睡眠診断装置および／または睡眠時無呼吸検査装置に共通する構成としてそれぞれ前記各段落に記載が為されていることから、上記訂正（１）は、願書に最初に添付した明細書又は図面に記載した事項の範囲内のものであって、かつ、実質上特許請求の範囲を拡張し、又は変更するものではなく、また、訂正後に於ける請求項６に記載されている事項により構成される発明が、特許出願の際独立して特許を受けることができない発明でもない。
　
　
３．むすび
　したがって、本件審判の請求は、特許法第１２６条第１項ただし書きに掲げる事項を目的とし、かつ、同条第３項ないし第５項の規定に適合する。
　よって、結論のとおり審決する。